(57)【要約】【課題】            従来のネットを介して行われる商品販売では、消費者が限定されてしまい、ＰＣやスマートフォンを使いこなせない者にとっては商品購入の機会を、また、販売者にとっては販売の機会をなくしてしまっているという点であり、手軽に購入者が自らの満足する商品を簡単な操作で購入することができるシステムがなかったという点である。【解決手段】        タッチパネルの表示画面に、人感センサーの感知によって複数のジャンルに分かれた商品群を表出するメインページを表示させ、そのうちの一つのジャンルがタッチによって選択されると、該ジャンルに含まれる複数の個別商品が並列されたページを表示させ、そのうちの一つの商品がタッチによって選択されると、該商品の詳細を示す画像のページを表示させ、購入のためのパネルをタッチすると、注文者の情報を入力するページ及び入力のためのキーボードを表示させ、情報入力後に確定のためのパネルをタッチするとレシートを排出することとする。【選択図】          図３
2013130907.tif 000002
【特許請求の範囲】
【請求項１】
タッチパネルの表示画面に、人感センサーの感知によって複数のジャンルに分かれた商品群を表出するメインページを表示させ、そのうちの一つのジャンルがタッチによって選択されると、該ジャンルに含まれる複数の個別商品が並列されたページを表示させ、そのうちの一つの商品がタッチによって選択されると、該商品の詳細を示す画像のページを表示させ、購入のためのパネルをタッチすると、注文者の情報を入力するページ及び入力のためのキーボードを表示させ、情報入力後に確定のためのパネルをタッチするとレシートを排出することを特徴とする商品の販売システム。
【請求項２】
前記したレシートに表示されたデータをレジカウンターのスキャナーで読み込ませると、そのデータは商品の出品者側に伝送されることを特徴とする請求項１に記載の商品の販売システム。
【請求項３】
前記したメインページ、複数の個別商品が並列されたページ及び商品の詳細を示す画像のページは各々前ページへ進むスイッチと前へ戻るスイッチが設けられていることを特徴とする請求項１または請求項２に記載の商品の販売システム。
【請求項４】
前記した商品の詳細を示す画像は静止画あるいは動画とされていることを特徴とする請求項１から３のうち１つに記載の商品の販売システム。
【請求項５】
前記したジャンル、商品群及び個別商品は必要に応じて入れ替えが可能であることを特徴とする請求項１から４のうち１つに記載の商品の販売システム。
【発明の詳細な説明】
【技術分野】
【０００１】
本発明は種々の商品の販売システムに関し、特にレジ機能を具備した店舗や施設内に設置された自動の注文マシーンを利用して、好みの商品を購入し、指定場所へ配送させることができる商品の販売システムに関する。
【背景技術】
【０００２】
近時、商品の販売は一般的な店舗を介在して行われるほか、メディアを介しての通信販売や、ネットを介して行われる形態が増えている。特にネットを介して商品を購入する場合には、利用できるパソコンやスマートフォンが必要となる。
【０００３】
しかしながら、実際として、高齢者をはじめとする前記した機器を所有しないも者や操作が不得手の者にとってはネットを介しての商品の購入は不能となり、これは販売者側からしてもユーザーが限定されてしまうこととなり、販売の機会を減少させてしまうこととなる。
【先行技術文献】
【特許文献】
【０００４】
出願人は、本願発明に関し、先行する特許文献を調査したが、格別に本願と関連し、類似すると思われる文献は発見できなかった。
【発明の概要】
【発明が解決しようとする課題】
【０００５】
本発明が解決しようとする問題点は、従来のネットを介して行われる商品販売では、消費者が限定されてしまい、ＰＣやスマートフォンを使いこなせない者にとっては商品購入の機会を、また、販売者にとっては販売の機会をなくしてしまっているという点であり、加えて、手軽に購入者が自らの満足する商品を簡単な操作で購入することができるシステムがなかったという点である。
【課題を解決するための手段】
【０００６】
上記した問題点を解決するため、本発明に係る商品の販売システムは、タッチパネルの表示画面に、人感センサーの感知によって複数のジャンルに分かれた商品群を表出するメインページを表示させ、そのうちの一つのジャンルがタッチによって選択されると、該ジャンルに含まれる複数の個別商品が並列されたページを表示させ、そのうちの一つの商品がタッチによって選択されると、該商品の詳細を示す画像のページを表示させ、購入のためのパネルをタッチすると、注文者の情報を入力するページ及び入力のためのキーボードを表示させ、情報入力後に確定のためのパネルをタッチするとレシートを排出することを特徴としている。
【０００７】
また、本発明に係る商品の販売システムは、前記したレシートに表示されたデータをレジカウンターのスキャナーで読み込ませると、そのデータは商品の出品者側に伝送されることを特徴とし、前記したメインページ、複数の個別商品が並列されたページ及び商品の詳細を示す画像のページは各々前ページへ進むスイッチと前へ戻るスイッチが設けられていることを特徴としている。
【０００８】
さらに、本発明に係る商品の販売システムは、前記した商品の詳細を示す画像は静止画あるいは動画とされていることを特徴とし、前記したジャンル、商品群及び個別商品は必要に応じて入れ替えが可能であることを特徴としている。
【発明の効果】
【０００９】
本発明に係る商品の販売システムは、上記のように構成されている。そのため、極めて簡単なパネルタッチ操作で目的とする商品を購入し、指定場所でその商品を受け取ることが可能となる。このシステムのための機器は、レジ機能を有する施設に設置されるため、その施設にとっても自動的に顧客を施設内に誘引でき、集客効果も向上し、加えて、商品の在庫も不要となり、商品の説明書等の類も不要となる。
【図面の簡単な説明】
【００１０】
【図１】初期画面を示す図である。
【図２】商品ジャンルを示すメインページ画面を示す図である。
【図３】各商品群を示すページ画面を示す図である。
【図４】個別の商品画面を示す図である。
【図５】注文書の情報入力をするための画面を示す図である。
【図６】決済方法及び注文確定をするための画面を示す図である。
【発明を実施するための形態】
【００１１】
図面として示し、実施例で説明したように構成したことで実現した。
【実施例１】
【００１２】
次に、本発明の好ましい実施の一例を図面を参照して説明する。図中１は本発明に係るシステムを媒介する機器を示している。この機器はキャスターを下面に備え、簡単に位置移動をすることができるものとされているもので、レジ機能を有する施設に設置される。前面には情報の表示画面２が設けられており、初期的には、この表示画面２には企業広告やＣＭ動画が表示されている。また、この表示画面２の下方位置にはプリントされたレシートの排出口３が設けられている。
【００１３】
この機器１は人感センサーを具備しており、機器１前に人が立つことでそれを感知し、表示画面２の表示を商品購入のための第一段階となる複数のジャンルに分かれた商品群４、４‥を羅列表示するメインページを表示させる。このジャンル別の商品群は例えばインテリア用品、生鮮食品、ファッション、贈答品等とされる。この各商品群４、４‥は自在に変更することができる。そして表示画面２の下端部分にはページを送り、戻しするためのタッチスイッチ５、５‥が表示される。
【００１４】
次いで、この商品群４、４‥のうちから一つが選択タッチされると、そのタッチによる入力によって表示画面２には、選択された商品群４に含まれる個別の商品の表示６、６‥が並列されたページを表示する。このページにあってもページを送り、戻しするためのタッチスイッチ５、５‥は持続して表示されている。例えば贈答品として商品群４が選択タッチされた場合、具体的には近江牛、クッキー、ビールセット等々の個別の表示６、６‥となるもので、この個別の商品６、６‥は自在に変更することができる。
【００１５】
さらに、この個別の商品の表示６、６‥のうちから、所望する商品６を選択タッチすることで、そのタッチによる入力で、該商品の具体的な説明を詳細に示す画像７を表示する。この画像は静止画でも、必要に応じて動画とすることもできる。この画像７中には価格や購入（注文）数量を選択するための欄を表示する。この数量もタッチすることで数値を変更できる。そして、購入（注文）を実行するための「買い物かごに入れる」（購入する）の項目９を同時に表示する。
【００１６】
注文（購入）の数量を選択し、「買い物かごに入れる」の項目９をタッチすると、このタッチによる入力で表示画面２には注文者の情報を入力するための画面８を表示する。この画面８には情報を入力するためのタッチキーボード１０も同時表示する。注文者の情報は具体的には氏名、住所（商品の送り先）、電話番号、メールアドレス等となる。また、この画面８には決済方法を決める「次へ」の項目１１も同時に表示する。
【００１７】
この「次へ」の項目１１をタッチすると、このタッチによる入力で画面は決済方法の選択及び注文確定のための画面１２を表示する。この決済方法は機器１が設置された店頭での現金決済や代引決済、クレジットカード決済のうち１つをタッチによって選択する。この画面１２には「注文を確定する」の項目１３を同時に表示する。
【００１８】
以上で、注文者（購入者）による商品注文のための作業は終了する。最終的には、レシートが排出口３から排出される。この注文者はこのレシートを受け取り、レジへ持参する。このレシートには商品の注文（購入）に関するデータがバーコード（二次元のものも含む）として表示されており、レジカウンターでこのバーコードデータをスキャンして読み込むことで、そのデータは出展者側に瞬時に伝送されることとなる。
【００１９】
このデータを受けた出展者は注文の内容にのっとって、商品の配送を手配することとなる。
【産業上の利用可能性】
【００２０】
本発明に係る商品の販売システムの実施例は上記のように構成される。この実施例では、個別の商品について説明したが、場合によっては演劇やスポーツ観戦のチケットや新発売されるＣＤ、ＤＶＤ、書籍等の先行予約、パック旅行の注文等も可能となる。
【符号の説明】
【００２１】
１    機器
２    表示画面
３    排出口
４    商品群
５    タッチスイッチ
６    個別の商品表示
７    詳細な説明画像
８    注文者情報入力画面
９    「買い物かごに入れる」の項目
１０  タッチキーボード
１１  「次へ」の項目
１２  決済方法及び注文確定画面
１３  「注文を確定する」の項目
【図１】
2013130907.tif 000003
【図２】
2013130907.tif 000004
【図３】
2013130907.tif 000005
【図４】
2013130907.tif 000006
【図５】
2013130907.tif 000007
【図６】
2013130907.tif 000008